Podtech/llm-jp-corpus-v4-ja_patent huggingface dataset:
(57)【要約】【課題】  洪水や津波時に逃げ遅れた場合の非常時脱出カプセルを提供する。【解決手段】形状は球形、円柱形、直方体等のカプセルで人が一人以上入れ、蓋ができるもの。蓋をした状態で、通気性を保ち水の侵入を大部分おさえられる構造で、さらに、フロート、タイヤを接続し浮力を保ち、流木や構造物との接触に耐えうる構造の物。  本発明は、津波や洪水時などの災害時に、カプセルに入り水面に浮かぶことで命を守ることを目的し、カプセルとカプセルにフロートやタイヤを設けたことを特徴とする非常時脱出用カプセルである。【選択図】図１
2019049172.tif 000002
【特許請求の範囲】
【請求項１】
形状は球形、円柱形、直方体等のカプセルで人が一人以上入れ、蓋ができるもので、蓋をした状態で、通気性を保ち水の侵入を大部分おさえられる構造で、さらに、フロート、タイヤを接続し浮力を保ち、流木や構造物との接触に耐えうる構造の物で、津波や洪水時などの災害時に、カプセルに入り水面に浮かぶことで命を守ることを目的とし、カプセルとカプセルにフロートやタイヤを設けたことを特徴とする非常時脱出用カプセルである。
【発明の詳細な説明】
【技術分野】
【０００１】本発明は、津波や洪水時などの災害時、避難場所に逃げ遅れた場合、人が命を守るために入るカプセルである。
【背景技術】
【０００２】従来、ユニットバス型災害シェルター脱出カプセルはあった（特許文献１参照）。
【先行技術文献】
【特許文献】
【０００３】
【特許文献１】特開２０１３−１５１８１０号公報
【発明の概要】
【発明が解決しようとする課題】
【０００４】そのために次のような問題点があった。
（イ）普及していないため、津波や洪水で避難場所に逃げ遅れ水に襲われた人間は、高い確率で死に至っている。
（ロ）普及していないため、ゲリラ豪雨や大雨が原因で、堤防の決壊や斜面崩壊が発生し家屋ごと被害にあう場合も、人が死に至る確率が高かった。
本発明は、以上の問題点を解決するためになされたものである。
【課題を解決するための手段】
【０００５】形状は球形、円柱形、直方体等のカプセルで人が一人以上入れ、蓋ができるもの。蓋をした状態で、通気性を保ち水の侵入を大部分おさえられる構造で、さらに、フロート、タイヤを接続し浮力を保ち、流木や構造物との接触に耐えうる構造の物。
本発明は、津波や洪水時などの災害時に、カプセルに入り水面に浮かぶことで命を守ることを目的し、カプセルとカプセルにフロートやタイヤを設けたことを特徴とする非常時脱出用カプセルである。
【発明の効果】
【０００６】災害時に避難場所に逃げ遅れても延命の手段が残る。
【図面の簡単な説明】
【０００７】
【図１】本発明の斜視図である。
【図２】本発明一部を切り欠いた断面図である。
【図３】本発明の他の実施例を示した斜視図である。
【図４】本発明の他の実施例を示した斜視図である。
【発明を実施するための形態】
【０００８】以下、本発明の実施形態について説明する。
（イ）カプセル（１）の上面に出入り用の蓋（４）と窓（５）を設け上辺および下辺にフック（７）若しくは取手（８）を設ける。
（ロ）フック（７）若しくは取手（８）に縄（６）でフロート（２）、タイヤ（３）を固定する。
（ハ）カプセル（１）の内部はクッション（９）で覆う。
本発明は以上のような構成である。
本発明は災害時に避難場所に逃げ遅れた場合の延命手段である。
余った取手（８）に縄をかけ固定し、決まった範囲を浮遊する場合と、縄をかけずに流される場合の２通りに利用する。
使用する場合は、蓋（４）より入り蓋（４）を閉じ災難が過ぎるのを待ち、浸水した場合はカプセル（１）の上にのり、災難が過ぎるのを待ち、救助を待つ。
【符号の説明】
【０００９】１  カプセル
２  フロート
３  タイヤ
４  蓋
５  窓
６  縄
７  フック
８  取手
９  クッション
【図１】
2019049172.tif 000003
【図２】
2019049172.tif 000004
【図３】
2019049172.tif 000005
【図４】
2019049172.tif 000006
(57)【要約】      （修正有）【課題】引力を利用して、発電又は直接動力とする動力源を提供する。【解決手段】引力を利用して、二つの液水房１，２を回して、発電又は直接動力とするものである。二つの液水房の中には、液又は水混合液等を７５〜８０％程度入れて回す液水（水だけでも良い）を転がすといってもよい。液水房を円盤又は架台と軸に図のように取り付ける。二つの液水房は、自らは回らないので、３６０°の二極に３０°ずつ補助力を入れてやると回り続ける。補助力の得られる所に、どこにでも設置出来る。【選択図】図１
2019049265.tif 000002
【特許請求の範囲】
【請求項１】
液水房の型である液水房の中で、液水が転がりやすいような型にしてある事。
【請求項２】
引力を利用して回すことである。永遠にエネルギーが得られる。
【請求項３】
規模をいくらでも大きくできる。
【請求項４】
発電だけでなくそのまま動力に伝える。
【発明の詳細な説明】
【０００１】本発明は、引力を利用して、二つの液水房を回して、発電又は直接動力とするものである。
【０００２】二つの液水房の中には、液又は水混合液等を７５〜８０％程度入れて回す液水（水だけでも良い）を転がすといってもよい。
【０００３】液水房を円盤又は架台と軸に図のように取り付ける。
【０００４】二つの液水房は、自らは回らないので、３６０°の二極に３０°ずつ補助力を入れてやると回り続ける。
３００°は引力で回っている。
【０００５】補助力には液水房の規模にマッチしたものを使えばよい。水流を利用するのもよし、小さなエンジン、小さなモーターで、フライングホイルを回してやるとよい。
【０００６】
2019049265.tif 000003
入れて回す。１回転２〜３秒位で回す。あまり速く回すと遠心力が働いて転がらなくなる。
６Ｖ２．４Ｗの発電機で、約５Ｗの発電が出来ました。実験の補助力は、自転車のペダル風の小さなものを付けて、手で回してやりました。フライングホイルの重さと回転の速さがマッチすれば軽く発電が出来る。１ペダル２ｋｇ程の力で回る。
【０００７】大型船舶の推進力にうってつけで、補助力は小さなエンジンでフライングホイルを回してつないでやれば、ずっと回り続ける。１航海の燃料は僅少で済む。
【０００８】規模を万トンにするならば、液水房角度を３０°位まで下げても、ほぼ同じ回転力を得られる。
万トンの回転軸の力はどれほどのものでしょうか。
【０００９】液水房を垂直にすると、回転のショックが大きいので、４５°角度をつけました。
【００１０】規模は総重量１０ｋｇから人類の技術で作れる最大の大きさまでなっても、規模が大きくなると回転速度は遅くなってもよい。遅くても回転力が大きいので、ウォームギヤと倍速機につなぐとよい。
【００１１】小規模発電に対する補助力は、ウエイトブロックでもよし。７０ｋｇ位までなら人の体重であげられるので、数個上げておけばよい。又は歩行器風のものでもよい。重量が１０ｋｇ位なので鳥人間コンテストのプロペラ付き軽飛行にうってつけだと思う。１０ｋｇ体重の軽い人が乗ればよい。プロペラ付き軽飛行では、軽くする為フライングホイルは無しで、ペダル液水房プロペラ直結でやるとよい。ペダルを踏むだけで離陸できればなおよし。
【００１２】液水房の中身は、パチンコ玉位のベアリング玉のようなものでもよい。潤滑油を少し入れるとよい。
【００１３】補助力については、小規模の液水房回転の力を、次の中規模回転の補助力となり、何段階か上げていけば、少しの力でいくらでも大きくなっていく。
【００１４】その他使い道は、多岐にわたる。
【図１】
2019049265.tif 000004
【図２】
2019049265.tif 000005
【手続補正書】
【提出日】平成30年12月2日(2018.12.2)
【手続補正１】
【補正対象書類名】明細書
【補正対象項目名】全文
【補正方法】変更
【補正の内容】
【発明の詳細な説明】
【０００１】本発明は、引力を利用して、二つの液水房を回して、発電又は直接動力とするものである。
【０００２】二つの液水房の中には、液又は水混合液等を７５〜８０％程度入れて回す液水（水だけでも良い）を転がすといってもよい。
【０００３】液水房を円盤又は架台と軸に図のように取り付ける。
【０００４】二つの液水房は、自らは回らないので、３６０°の二極に３０°ずつ補助力を入れてやると回り続ける。３００°は引力で回っている。
【０００５】補助力には液水房の規模にマッチしたものを使えばよい。水流を利用するのもよし、小さなエンジン、小さなモーターで、フライングホイルを回してやるとよい。
【０００６】
2019049265.tif 000006
を入れて回す。１回転２〜３秒位で回す。あまり速く回すと遠心力が働いて転がらなくなる。
６Ｖ２．４Ｗの発電機で、約５Ｗの発電が出来ました。実験の補助力は、自転車のペダル風の小さなものを付けて、手で回してやりました。フライングホイルの重さと回転の速さがマッチすれば軽く発電が出来る。１ペダル２ｋｇ程の力で回る。
【０００７】大型船舶の推進力にうってつけで、補助力は小さなエンジンでフライングホイルを回してつないでやれば、ずっと回り続ける。１航海の燃料は僅少で済む。
【０００８】規模を万トンにするならば、液水房角度を３０°位まで下げても、ほぼ同じ回転力を得られる。万トンの回転軸の力はどれほどのものでしょうか。
【０００９】液水房を垂直にすると、回転のショックが大きいので、４５°角度をつけました。
【００１０】規模は総重量１０ｋｇから人類の技術で作れる最大の大きさまでなっても、規模が大きくなると回転速度は遅くなってもよい。遅くても回転力が大きいので、ウォームギヤと倍速機につなぐとよい。
【００１１】小規模発電に対する補助力は、ウエイトブロックでもよし。７０ｋｇ位までなら人の体重であげられるので、数個上げておけばよい。又は歩行器風のものでもよい。重量が１０ｋｇ位なので鳥人間コンテストのプロペラ付き軽飛行にうってつけだと思う。１０ｋｇ体重の軽い人が乗ればよい。プロペラ付き軽飛行では、軽くする為フライングホイルは無しで、ペダル液水房プロペラ直結でやるとよい。ペダルを踏むだけで離陸できればなおよし。
【００１２】液水房の中身は、パチンコ玉位のベアリング玉のようなものでもよい。潤滑油を少し入れるとよい。
【００１３】補助力については、小規模の液水房回転の力を、次の中規模回転の補助力となり、何段階か上げていけば、少しの力でいくらでも大きくなっていく。
【００１４】その他使い道は、多岐にわたる。
【図面の簡単な説明】
【００１５】
【図１】液水房を円板に取付けた正面図である。液水房１、２は、液水を７０〜８０％を入れてあるので、少し補助力で回してやるとクルっと半回転する。又、少し補助力で回してやると、又、クルっと半回転する。これを補助力でフライングホイルを回してあるので、連続して回転させることが出来る。
【図２】液水房の断面図である。液水房を垂直にしてやるとさらに力が強くなるが、中の液水の転がる音がするので、大型にするとドーンという音が予想される。大型にすると円板枠ごと受ける必要があるので、設置がしやすいように４５°傾けました。もっと大型にすると円板を水平から３０°までに下げても転がって動力となる。ジョイント部分はベベルギヤ―でもよい。
(57)【要約】【課題】商店等において、万引き犯を見つけても、店員等の対応が間に合わず、犯人に走って逃げられる事態を防止し、冷静に対処することを可能とする。【解決手段】商店等の出入口を二重扉とし、その二重扉の間に適度な空間を設け、その二重扉のうち、内側の扉付近に万引き商品検知センサーを設置、そのセンサーが反応すると、直ちにその二重扉のうち、外側の扉が閉まり、又は開かないように連動させる。【選択図】なし【特許請求の範囲】
【請求項１】
商店等の出入口を二重扉とし、その二重扉の間に適度な空間を設け、その二重扉のうち、内側の扉付近に万引き商品検知センサーを設置するとともに、そのセンサーが反応すると、直ちにその二重扉のうち、外側の扉が閉まり、又は開かないように連動させるシステム。
【発明の詳細な説明】
【技術分野】
【０００１】
本発明は、商店等における万引きの被害防止に関するものである。
【背景技術】
【０００２】
従来、かなりの商店等において、万引きの被害に悩まされてきた。
【０００３】
この改善策として、商品にタグ等を取り付け、そのタグに反応するセンサーを出入口付近に設置している例が多くなっている。
【先行技術文献】
【特許文献】
【０００４】
【特許文献１】特開２００２−３１２７３５
【０００５】
【特許文献２】特開２００２−０７４２８６
【発明の開示】
【発明が解決しようとする課題】
【０００６】
しかしながら、これらの発明等により万引きした事実は確認できるが、店員等の対応が間に合わず、犯人に走って逃げられる事例が発生している。
【０００７】
従来、この事態に対処するには店員や監視員を予め余計に配置しなければならず、経費負担増を強いられる店舗も現れた。
【０００８】
本発明は、この店員等の対応が間に合わない事態を回避し、確実に万引きの被害を防止することを可能とする点にある。
【課題を解決するための手段】
【０００９】
商店等の出入口を二重扉とし、その二重扉の間に適度な空間を設ける。
【００１０】
その二重扉のうち、内側の扉付近に既に普及している万引き商品検知センサーを設置する。
【００１１】
そのセンサーが反応すると、直ちにその二重扉のうち、外側の扉が閉まり、又は開かないように連動させる。
【発明の効果】
【００１２】
この発明により、犯人に走って逃げられる可能性はなくなり、店員等による落ち着いた対処が可能となる。
【００１３】
一時扉が開かなくなる事態に対する客等への対応については、「緊急事態が発生しましたので、しばらくお待ちください」などの放送や電光掲示を用いることで対処すればよい。
(57)【要約】【課題】この発明は、フレットレス弦楽器のネックの親指の位置に短いフレットを設け、そのフレットを親指で触れることで、指板上のポジションを目で見なくても、押さえる事が出来るというものである。【解決手段】フレットレス弦楽器のネックの親指の位置に短いフレットを設け、そのフレットを親指で触れることで、指板上のポジションを目で見なくても、押える事が出来るというセンサー付弦楽器である。【選択図】図１
2019032500.tif 000002
【特許請求の範囲】
【請求項１】
フレットレス弦楽器のネックの親指の位置に短いフレットを設け、そのフレットを親指で触れることで、指板上のポジションを目で見なくても、押える事が出来るというセンサー付弦楽器である。
【発明の詳細な説明】
【技術分野】
【０００１】この発明は、フレットレス弦楽器のネックの親指の位置に短いフレットを設け、そのフレットを親指で触れることで、指板上のポジションを目で見なくても、押さえる事が出来るというものである。
【背景技術】
【０００２】従来、フレットレス弦楽器は、フレットが無い為、指板上のポジションに、印を付け、目で確認していた。
【先行技術文献】
【特許文献】
【０００３】
【特許文献１】
【発明の概要】
【発明が解決しようとする課題】
【０００４】フレットレス弦楽器は、フレットが無い為、指板上のポジションに、印を付け、目で確認していた。
【課題を解決するための手段】
【０００５】フレットレス弦楽器のネックの親指の位置に短いフレットを設け、そのフレットを親指で触れることで、指板上のポジションを目で見なくても、押える事が出来るというセンサー付弦楽器である。
【発明の効果】
【０００６】（イ）目でポジションを見なくとも良いので、楽譜から目を離さなくても良くなった。
（ロ）指板を見ないで弾くと、上手そうに見える。
（ハ）ギター等、フレットの有る弦楽器にも応用できる。
【図面の簡単な説明】
【０００７】
【図１】本発明の側面図である。
【図２】本発明の平面図である。
【発明を実施するための形態】
【０００８】フレットレス弦楽器のネックの親指の位置に短いフレットを設け、そのフレットを親指で押さえ、人差し指でつまむと、親指と同じ位置の指板上のポジションを、目で見なくても、押えることが出来るという構造である。また、フレットの長さを変えることにより、ポジションを特定することも出来る。
（例  ３．５．７．のポジションの長さを、他のポジションより少し長くすることにより、他のポジションと区別することができる。）
【符号の説明】
【０００９】１  センサーフレット
２  ネック（棹）
３  親指
４  指板
５  弦
６  第１ポジション
７  第４ポジション
【図１】
2019032500.tif 000003
【図２】
2019032500.tif 000004
(57)【要約】【課題】  従来発電に関しては小泉内閣時代から原子力発電はやめるべきと多くの災害に伴い取り沙汰されてきた。【解決手段】  それに代わるものはないかと願って思いついた。唐箕の風力の原理である。【選択図】  図１
2019100280.tif 000002
【特許請求の範囲】
【請求項１】
一部分が水中にあるように設置した水車と前記水車の回転と連動して回転する大小の歯車と、前記歯車の回転を利用して唐箕を回転させて風力を利用した発電機
【請求項２】
両側に吹込孔のある内部に四枚の扇板から回転して風を送りその風力を利用する請求項１の発電機
【発明の詳細な説明】
【技術分野】
【０００１】
本発明は、風力や水力などの自然エネルギーを用いた電力発電機に関するものである。
【背景技術】
【０００２】
従来、風力を利用する方法は、プロペラ式の風車を鉄塔に設置し、その回転力を利用した方法がある。また、水力を利用する方法は、小型のものでは、用水路に小型の回転体を設置し、その回転力から動力を得る方法がある。
【先行技術文献】
【特許文献】
【０００３】
【特許文献１】特開２０１０−１７５２６２号公報
【発明の概要】
【発明が解決しようとする課題】
【０００４】
古来水稲等に使われていた唐箕による風力発電を、思いついた。我が国の豊かな川の水を利用し唐箕の風力の原理で電力を起こす。
【課題を解決するための手段】
【０００５】
一部分が水中にあるように設置した水車と前記水車の回転と連動して回転する大小の歯車と、前記歯車の回転を利用して唐箕を回転させて風力を利用した発電機。
両側に吹込孔のある内部に四枚の扇板から回転して風を送りその風力を利用する前記記載の発電機。
発電機は、一台だけでなく水の流れに従って何台か川上から川下に置く。河川の氾濫時は、川岸に引き上げる安全対策を考える。
【発明の効果】
【０００６】
風力エネルギー電力電圧サイクルによって変圧器を通し自家発電も安価にできる。また原子力による発電を止めて自然エネルギーによる発電に替えるべきと故聖路加病院の日野原先生の意思も国民の多くが賛同している。水を酸素と水素に分解し酸素は、水中に噴霧し魚の養殖に活用したい。
【図面の簡単な説明】
【０００７】
【図１】水車と唐箕を使い、大小の歯車を配置した全体図である。
【図２】水車の回転機構を示した図である。
【図３】唐箕の回転機構を示した図である。
【発明を実施するための形態】
【０００８】
唐箕の原理により八枚目まで風力として回転させ水力と風力で電気を起こし九枚目は、一枚目にもどる唐箕の回転を、上げることにより空中に強い風を放出する。
【産業上の利用可能性】
【０００９】
原子力発電の代わりに電力を、安価で使えることにより太陽光発電等の事故や故障など、問題があるトラブル発生が抑えられると考える。
各市町村の、利水問題も、共存する形態で維持するとよいと考える。
【符号の説明】
【００１０】
１．水車
川の流れに従い大小の歯車を回転する水力１から、空中に上げ電力を起こし更に４５と唐箕による風力と合わせ回転し電力を起こし発電を生む。
２．唐箕
川の流れに始まり水車に出会い水車が回転して水力発電を生みそれにより図７、８、で川の流れに戻り水車によって８で回転し１に戻る。まずは、水力により大小の歯車を、ダイナモを回して電力を得る。
水力と風力を要する歯車が必要となるが、その分電力を得るダイナモを、多く設置できる。
【図１】
2019100280.tif 000003
【図２】
2019100280.tif 000004
【図３】
2019100280.tif 000005
(57)【要約】      （修正有）【課題】ねじのいたずら防止と緩み止めができるいたずら防止ロックねじを提供する【解決手段】ねじの回転軸に沿って内径より深く長方形の溝２を掘る。溝２にＬ字形の金属３を差し込み、Ｌ字根元５でねじ穴１０を塞ぎ、Ｌ字先端４を直角に曲げることで緩みを止めるものである。掘った溝２はねじ全体の体積の１０％以下である。ねじを緩めるのは、Ｌ字先端を元に戻し、ナットを強い力で回転させることで緩む。【選択図】図３
2019100534.tif 000002
【特許請求の範囲】
【請求項１】
ねじの回転軸に沿って内径より深く直線で溝を掘り、溝に差し込んだＬ字根元でねじ穴を塞ぎ、ナットで締め付けた後、ねじからはみ出したＬ字先端を回転軸に対しほぼ直角に曲げることで緩みを止めるいたずら防止ロックねじ。
【請求項２】
請求項目１のねじでナットを締めた後、Ｌ字金属をナット側から溝２に沿って差し込み、Ｌ字根元でナットの回転を止め、頭部でＬ字先端を曲げ、ねじ穴を塞ぐことでいたずら防止と緩みを止めるいたずら防止ロックねじ
【請求項３】
請求項目１のＬ字金属のＬ字根元の形をねじ穴の形に加工しどのドライバーも差し込めない、いたずら防止ロックねじ。
【請求項４】
請求項目１のねじでＬ字金属のＬ字根元の形をかかとのみにし、ねじ穴を塞がず緩み止めのみに使用するいたずら防止ロックねじ。
【発明の詳細な説明】
【技術分野】
【０００１】  この発明はいたずら防止とねじの緩み止めに関するものである。
【背景技術】
【０００２】  ねじのいたずらは、ねじ穴にドライバーを差し込み回転させ緩めようとするからである。そのためねじ穴を四角形、五角形、六角形などにして普通のドライバーは差し込めないようにしている。【０００３】  ねじは振動などの力で少しずつ緩む。緩み止めは緩みが少ない二重ナット等がある。ねじが振動で緩む方向に回転するからである。
【先行技術の文献】
【発明が解決しようとする課題】
【０００４】  ねじのいたずら防止と、ねじ緩み止めの２つの課題を１つのもので解決するのである。いたずら防止をするためねじ穴を塞ぎ、さらに緩みの元になる回転を防ぐものである。
【課題を解決するための手段】
【０００５】  細長い金属は曲がることを利用し回転を止めるのである。そして同じ細長い金属でねじ穴を塞ぐのである。
細長い金属の端をＬ字に直角に曲げた道具を作る。この固定器具を以後、Ｌ字金属とする。さらにＬ字金属の長い方をＬ字先端とし、短い方をＬ字根元とする。また、Ｌ字根元の角を出っ張りをＬ字かかととする。
【０００６】  ねじの頭部からねじ先まで回転軸に沿って直線で長方形の溝を作る。溝の深さはＬ字金属を入れ、ネジの回転、締めつけを邪魔しない深さにする。その溝に沿ってＬ字金属を頭部から差し込む。
Ｌ字金属根元をねじ穴にはめ込むことでねじ穴を塞ぐ。普通のドライバーは侵入できずいたずら防止は完了する。
ねじの頭部は丸、なべ、丸皿、皿、低頭等がありそれぞりＬ字根元の長さや形状は頭部に合わせ少しずつ異なる。完全に塞がなくともドライバーが入れられない程度であれば良い。Ｌ字かかとがあるとＬ字金属の引っ張りに強くなり、頭部の隙間も埋まる。
【０００７】  ねじは任意の位置で締めつけが終わる。溝に沿ってはめ込まれたＬ字金属がナットからはみ出た部分を曲げることで緩み止めができる。締めつけ後Ｌ字金属の先端を曲げるため、ナットは任意の位置で止まり緩みが止めができる。
ねじを通す材料にねじ切りがある場合はねじを締め付けた後、Ｌ字金属を差し込みＬ字先端を材料面に平行に曲げることで緩み止めができる。
【０００８】  このねじはゆるみ止めのみに使用することもできる。Ｌ字根元をかかとのみにして、ねじ穴を塞がなくする。Ｌ字かかとが緩みの引っ張る力を押さえ，先端を曲げることでゆるみ止めができる。
【発明の効果】
【０００９】  （ア）ねじ径がＭ８以下のものならＬ字先端は人の指でも曲げられ緩み止めができる。
（イ）ねじに大きな力がかかり、ねじがわずかに伸びると曲げたＬ字先端が大きく元に戻ろうとし、ねじの異常を発見できる。
（ウ）木ねじに応用すると回転軸に掘った溝にＬ字金属を差し込むと、Ｌ字先端は木材に当たり止まる。そこでＬ字金属を金槌でたたき込むことで回転ができなくなり緩みが正まる。
【発明を実施するための形態】
【実施例１】
【００１０】本案のねじ１にＬ字金属３を頭部６から差し込みねじ先７に通す。図１に示す。これでＬ字根元５がねじ穴１０を塞ぎいたずら防止ができる。
次にナット１３で締めつけた後、ナット１３からはみ出した金属先端４をほぼ直角に曲げナット１３の六角面にほぼ並行にする。これで緩み止めが完成する。図３に示す。
材料１１にねじ切り１４があるときはそのままＬ字先端４を直角に曲げる。材料１１にねじ切り１４がある方が、角の曲がりが鋭く緩みがよく止まる。図５、図６に示す。
【実施例２】
【００１１】本案のねじ１に材料１１を挟みナットで締めつけねじ先７からＬ字金属３を挿入する。Ｌ字根元５がナットの回転を押さえ、頭部でＬ字先端４を曲げねじ穴１０に納める。これでねじ穴１０が塞がれしかも緩みも止まる。
Ｌ字先端４を曲げるとき頭部６からはみ出すときはＬ字先端４をペンチで切断して、ねじ穴１０に収まる長さにする。これでいたずら防止ができる。図４に示す。
【実施例３】
【００１２】本案のねじ１のＬ字根元５をねじ穴１０の形にし使用することで、隙間がほとんど無くなりどのドライバーの使用をできなくする。例を図７に示す。
【実施例４】
【００１３】本案のねじ１のねじ穴１０を塞がないＬ字金属３を使う。Ｌ字かかと１２でねじが緩もうとする引っ張りの力を押さえのＬ字先端４を曲げることでゆるみ止めができる。図６に示す。
【図面の簡単な説明】
【００１４】
【図１】本体の正面図とＬ字金属
【図２】Ｌ字金属をつけたねじの左右の側面図
【図３】ねじの中のＬ字金属の位置と曲げる様子位置を示す図
【図４】Ｌ字金属をねじ先から挿入し曲げた様子を示す図
【図５】ねじ切りをした材料にＬ字金属を使用した正面図
【図６】本体とＬ字根元がかかとのみの正面図
【図７】例として十字穴や六角穴を金属根元で塞ぐ図
【符号の説明】
【００１５】１、本体
２、溝
３、Ｌ字金属
４、Ｌ字先端
５、Ｌ字根元
６、頭部
７、ねじ先
８、ねじ外径
９、ねじ内径
１０、ねじ穴
１１、材料
１２、Ｌ字かかと
１３、ナット
１４、材料のねじ切り
１５、挿入
１６、曲げる
【図１】
2019100534.tif 000003
【図２】
2019100534.tif 000004
【図３】
2019100534.tif 000005
【図４】
2019100534.tif 000006
【図５】
2019100534.tif 000007
【図６】
2019100534.tif 000008
【図７】
2019100534.tif 000009
(57)【要約】【課題】構造物の重量を軽減して構造物のコストダウンを図れ、また、居住スペースやオフィススペースに対して鉄筋コンクリート柱が占めるスペースの割合を小さくする上で有利な鉄筋を提供すること。【解決手段】鉄筋１０は、均一外径の鋼棒１２の外周面の全域に複数の面１４０２からなるＰＣＣＰ構造１４が形成されて構成されている。そのため、鉄筋１０の外周面部分はＰＣＣＰ構造１４により強固に補強されている。【選択図】図１
2019100145.tif 000002
【特許請求の範囲】
【請求項１】
コンクリート構造体に埋設される鉄筋であって、
前記鉄筋は、均一外径の鋼棒の外周面の全域に複数の面からなるＰＣＣＰ構造が形成されて構成されている、
ことを特徴とする鉄筋。
【発明の詳細な説明】
【技術分野】
【０００１】
本発明はコンクリート柱やコンクリート擁壁などのコンクリート構造体に埋設される鉄筋に関する。
【背景技術】
【０００２】
コンクリート構造物において多くの場合、柱として鉄筋コンクリート柱が用いられている。
鉄筋コンクリート柱では、コンクリートの内部に柱主筋などの複数の鉄筋が用いられ、圧縮荷重をコンクリートで受け、引っ張り荷重および曲げ荷重を鉄筋で受けるようにしている。
そして、高層ビルでは、鉄筋コンクリート柱の本数も多くなることから、用いられる鉄筋の本数も数百本単位で多くなる。
【先行技術文献】
【特許文献】
【０００３】
【特許文献１】特開２０１０−１９６３４７号公報
【発明の概要】
【発明が解決しようとする課題】
【０００４】
一方、鉄筋は、断面が円形でその表面は円筒面で形成されている。
そのため、鉄筋が耐えられる引っ張り荷重および曲げ荷重にも限界があり、鉄筋には所定の断面積が必要となり、鉄筋コンクリート柱の断面も大きくならざるを得ない。
その結果、鉄筋の総重量が大きくなると共に、使用されるコンクリートの総重量も大きくなり、それにより構造物の重量が大きくなり、その結果、基礎や地震対策構造なども大型化せざるを得ないため、構造物のコストが上昇し、また、居住スペースやオフィススペースに対して鉄筋コンクリート柱が占めるスペースの割合が多くならざるを得ないのが現状である。
また、従来の鉄筋形状では圧縮力には弱いという問題点が存在している。
本発明はこのような事情に鑑みなされたものであり、その目的は、構造物の重量を軽減して構造物のコストダウンを図れ、また、居住スペースやオフィススペースに対して鉄筋コンクリート柱が占めるスペースの割合を小さくする上で有利かつ圧縮力にも優れた鉄筋を提供することにある。
【課題を解決するための手段】
【０００５】
上述の目的を達成するため、本発明はコンクリート構造体に埋設される鉄筋であって、前記鉄筋は、均一外径の鋼棒の外周面の全域に複数の面からなるＰＣＣＰ構造が形成されて構成されていることを特徴とする。
【発明の効果】
【０００６】
本発明によれば、鉄筋の外周面部分はＰＣＣＰ構造により強固に補強されており、同じ断面積の円筒面のみからなる鉄筋に比べ、より大きな引っ張り荷重および曲げ荷重に耐えることが可能となり、圧縮力に対しても耐えることが可能となる。
したがって、従来の鉄筋に代えて断面積の小さい鉄筋を使用できる。
例えば、鉄筋コンクリート柱を大量に使用する高層ビルにおいては構造物の重量を軽減でき、その結果、基礎や地震対策構造などの小型化、簡易化を図れ、構造物のコストを削減する上で有利となる。
また、鉄筋の断面積を小さくできることから、鉄筋コンクリート柱の断面積を小さくでき、居住スペースやオフィススペースを大きく確保する上で有利となる。
【図面の簡単な説明】
【０００７】
【図１】実施の形態の鉄筋の正面図である。
【発明を実施するための形態】
【０００８】
（第１の実施の形態）
次に本発明の実施の形態について図面を参照して説明する。
鉄筋１０は、コンクリート柱やコンクリート擁壁などのコンクリート構造体に埋設されて使用されるものである。
鉄筋１０は、均一外径の鋼棒１２の外周面の全域に複数の面１４０２からなるＰＣＣＰ構造１４が形成されて構成されている。
【０００９】
本実施の形態の鉄筋１０によれば、鉄筋１０の外周面の全域は、複数の面１４０２からなるＰＣＣＰ構造１４で構成されている。
そのため、鉄筋１０の外周面部分はＰＣＣＰ構造１４により強固に補強されており、同じ断面積の円筒面のみからなる鉄筋に比べ、より大きな引っ張り荷重および曲げ荷重に耐えることが可能となり、圧縮力に対しても耐えることが可能となる。
したがって、従来の鉄筋に代えて断面積の小さい鉄筋１０を使用できる。
したがって、例えば、鉄筋コンクリート柱を大量に使用する高層ビルにおいては構造物の重量を軽減でき、その結果、基礎や地震対策構造などの小型化、簡易化を図れ、構造物のコストを削減する上で有利となる。
また、鉄筋１０の断面積を小さくできることから、鉄筋コンクリート柱の断面積を小さくでき、居住スペースやオフィススペースに対して鉄筋コンクリート柱が占めるスペースの割合を小さくでき、居住スペースやオフィススペースを大きく確保する上で有利となる。
【００１０】
なお、本発明において鉄筋は均一外径の鋼棒１２の外周面の全域に複数の面１４０２からなるＰＣＣＰ構造１４が形成されて構成されているとは、鋼棒１２の両端を、鋼棒１２を構成する円筒面で残し、その両端の円筒面を除いた残りの箇所に複数の面１４０２からなるＰＣＣＰ構造１４が形成されて構成されている態様を含む。
また、本実施の形態では、コンクリート構造体がコンクリート柱である場合について説明したが、コンクリート構造体はコンクリート擁壁など従来公知の様々なコンクリート構造体に適用可能であり、本発明の鉄筋１０はコンクリート柱に限定されない。
【００１１】
１０  鉄筋
１２  鋼棒
１４  ＰＣＣＰ構造
１４０２  面
【図１】
2019100145.tif 000003
(57)【要約】【課題】  従来は、排水孔の開口面積をある程度大きく設定する必要があった為、受皿に水が溜まりすぎる問題点があった。【解決手段】  腐葉土等に土を混ぜた培土４を、底面に小穴６を設けたすり鉢形状等の容器５に入れ、容器からの水漏れを受ける受皿７を設置し、培土４に、室外機１排水パイプ２からの水滴３を吸収させることにより、培土上層部及び全体からの自然乾燥が可能になり、水捨て不要なことを特徴とする培土４・容器５・受皿７からなる。【選択図】図１
2019083799.tif 000002
【特許請求の範囲】
【請求項１】
腐葉土等に土を混ぜた培土４を、底面に小穴６を設けたすり鉢形状等の容器５に入れ、容器からの水漏れを受ける受皿７を設置し、培土４に室外機１排水パイプ２からの水滴３を吸収させることにより、培土上層部及び全体からの、自然乾燥が可能になり、水捨て不要なことを特徴とする植木鉢。
【発明の詳細な説明】
【技術分野】
【０００１】  本発明は、植木鉢に関する。
【背景技術】
【０００２】  内鉢に設けた外フランジで外鉢の開口をぴったりと塞ぐようになっていて淀むという課題を解決する植木鉢があった（特許文献１参照）。
【先行技術文献】
【特許文献】
【０００３】
【特許文献１】特開２００６−１９７８８５号公報
【発明の概要】
【発明が解決しようとする課題】
【０００４】  従来は、排水孔の開口面積をある程度大きく設定する必要があった為、受皿に水が溜まりすぎる問題点があった（同［０００４］５行目）。
【課題を解決するための手段】
【０００５】  腐葉土等に土を混ぜた培土４を、底面に小穴６を設けたすり鉢形状等の容器５に入れ、容器からの水漏れを受ける受皿７を設置し、培土４に、室外機１排水パイプ２からの水滴３を吸収させることにより、培土上層部及び全体からの自然乾燥が可能になり、水捨て不要なことを特徴とする培土４・容器５・受皿７からなる。
【発明の効果】
【０００６】  上記の培土４に、室外機１排水パイプ２からの水滴３を吸収させることにより、培土上層部及び全体からの自然乾燥がなされ、水捨て不要となる。
【発明を実施するための最良の形態】
【０００７】  腐葉土等に土を混ぜた培土４を、底面に小穴６を設けたすり鉢形状等の容器５に約８分目程入れ、その小穴６からの多少の水漏れを受ける受皿７を設置し、培土４に、室外機１排水パイプ２からの水滴３を吸収させることにより、培土上層部及び全体からの自然乾燥がなされ、培土４・容器５・受皿７により、水捨て不要を特長とする。
容器の形状については、すり鉢状に拘らず円筒・角柱等でもよく、培土４については、腐葉土等を混ぜることにより、土の閉まりすぎを防ぎ、自然乾燥を促進させる。
【実施例】
【０００８】  室外機１排水パイプ２からの溜まった水量の処分に、毎日の手間と労力が不可欠であったが、腐葉土等に土を混ぜた培土４を、底面に小穴６を設けたすり鉢形状等の容器５に約８分目程入れ、その小穴からの多少の水漏れを受ける受皿７を設置し、培土４に、室外機１排水パイプ２からの水滴３を吸収させることにより、培土上層部及び全体からの自然乾燥がなされ、培土４・容器５・受皿７により、水捨て不要となった。室外機排水専用であり、植栽はしない。
【図面の簡単な説明】
【０００９】
【図１】使用状態を示す斜視図である。
【図２】容器の底面図である。
【符号の説明】
【００１０】１  …室外機
２  …排水パイプ
３  …水滴
４  …培土
５  …容器
６  …小穴
７  …受皿
【図１】
2019083799.tif 000003
【図２】
2019083799.tif 000004
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
腐葉土等に土を混ぜた培土４を、底面に小穴６を設けたすり鉢形状等の容器５に入れ、容器からの水漏れを受ける受皿７を設置し、培土４に室外機１排水パイプ２からの水滴３を吸収させることにより、培土上層部及び全体からの、自然乾燥が可能になり、水捨て不要なことを特徴とする蒸発皿。
【手続補正３】
【補正対象書類名】明細書
【補正対象項目名】０００１
【補正方法】変更
【補正の内容】
【０００１】  本発明は、蒸発皿に関する。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
腐葉土等に土を混ぜた培土４を、底面に小穴６を設けたすり鉢形状等の容器５に入れ、容器からの水漏れを受ける受皿７を設置し、培土４に室外機１排水パイプ２からの水滴３を吸収させることにより、培土上層部及び全体からの、自然乾燥が可能になり、水捨て不要なことを特徴とする蒸発皿の使用方法。
【手続補正３】
【補正対象書類名】明細書
【補正対象項目名】０００１
【補正方法】変更
【補正の内容】
【０００１】本発明は、蒸発皿の使用方法に関する。
(57)【要約】【課題】従来の捕獲器は、設置作業が面倒で、強力なバネを使っていたのでケガをする可能性があった。【解決手段】本発明は、市販のコンテナ等を利用することで安全である。また、ワイヤーを縁の外側を這わせピンを引き抜くことで、捕獲の作動をするので仕掛けが簡単である。また、ゴムを引っ張りながらコンテナ等に巻き付けるので調整が簡単である。【選択図】なし【特許請求の範囲】
【請求項１】
捕獲器は、市販のコンテナ等を利用でき、ワイヤー等を縁の下から入れ、折り返して外側の縁に這わせ、絞込り込む力をピンで外側で止め、ピンを引き抜くことで捕獲の作動を開始するようにする捕獲器。ワイヤーはゴムで引っ張りながら巻き付けることで強さ調節出来る。
【発明の詳細な説明】
【技術分野】
【０００１】本発明は、動物の捕獲に関するものである。市販のコンテナ等を利用する事で安価であること、コンテナ等の縁にワイヤーを這わせピンで止め、ゴムを巻き付けることで、引っ張りながら張力を調整することが出来る。
【背景技術】
【０００２】動物による被害は、深刻化している。被害を軽減するために、動物を捕獲する事は極めて重要である。
【発明の概要】
【発明が解決しようとする課題】
【０００３】従来の捕獲器は、操作が複雑で設置作業が面倒であり強力なバネを使っているのでケガをする可能性があった。
【課題を解決するための手段】
【０００４】本発明は、市販のコンテナ等を使うことが出来るので、簡単に設置作業が出来る。またゴムを利用する事で安全である。
【発明の効果】
【０００５】本発明の捕獲器は、ゴムを利用する事で安全である。お年寄りでも設置作業が出来る。
【実施例】
【０００６】本発明の捕獲器は、市販のコンテナ等を利用できるので、動物の大きさに合わせて作ることが出来る。【０００７】コンテナの縁に這わせるワイヤーを縁の少し下から内側に入れ、縁の外側に這わせる、つぎにワイヤーを入れた穴の近くにワイヤーが中に引き込まれないようにワイヤーを外側で引っ掛けるピンをはめる。【０００８】ワイヤーを引っ掛けるピンは、コンテナ等の奥に餌を遮るように張られた糸に繋げられていて、餌を食べる為に動かせばピンを引き抜く事になる。【０００９】ピンを引き抜くことで、ワイヤーが中に引き込まれる。この時の引き込む力は、ピンをさしている状態でワイヤーをゴムで引っ張りながらコンテナ等にまきつけることで調節できる。【００１０】また、コンテナ等とワイヤーを網で繋げば小さな動物も捕獲できる。
【産業上の利用可能性】
【００１１】本発明の捕獲器は、市販のコンテナ等を利用出来るので安価である。コンテナ等の形状に沿ってピンの引き抜きが出来る。
コンテナ等と網でワイヤーを繋げる事で小さな動物も捕獲できる。
(57)【要約】【課題】光線式センサーの光軸調整時、テスターや専用機器を常時所持していなくても、精度よく調整できるようにする。【解決手段】光線式センサーの受光器に、スマートフォンやタブレット端末などの多機能携帯端末装置と無線通信可能な機能を内蔵もしくは外付け可能とし、特定の多機能携帯端末装置で受光器の受光量出力部の出力値を確認できるようにし、受光器に無線通信モジュールと、無線通信モジュールのペアリング開始用スイッチとを内蔵し、前記ペアリング開始用スイッチを運用時に使用するカバー内に配置する。 【選択図】図１
2019083562.tif 000002
【特許請求の範囲】
【請求項１】
投光ユニットを一個または複数個配置した投光器と、受光ユニットを一個または複数個配置し、各受光ユニットには対応する投光ユニットからの光を受光し、その受光レベルを出力する受光量出力部を設けた受光器とで構成された光線式センサーにおいて、前記受光器に多機能携帯端末装置と無線通信可能な機能を内蔵もしくは外付け可能とし、前記多機能携帯端末装置で前記受光量出力部の出力値を確認できるようにし、
前記受光器に無線通信モジュールと、前記無線通信モジュールのペアリング開始用スイッチとを内蔵し、
前記ペアリング開始用スイッチを運用時に使用するカバー内に配置したことを特徴とした光線式センサー。
【請求項２】
前記カバーを閉めることにより、前記出力値のデータ通信の停止、または前記無線通信モジュールのペアリング削除、またはその両方を行うことを特徴とした請求項１に記載の光線式センサー。
【請求項３】
ペアリング後一定時間経過すると前記出力値のデータ通信の停止、または前記無線通信モジュールのペアリング削除、またはその両方を行うことを特徴とした請求項１または２に記載の光線式センサー。
【発明の詳細な説明】
【技術分野】
【０００１】
本発明は、赤外線等の光を発する投光器と、この光を受ける受光器とで構成される光線式センサーの光軸調整機能に関するものである。
【背景技術】
【０００２】
光線式センサーは、投光器と受光器を所定の距離だけ離して設置するものである。投光器から受光器に達する光の強さは、雨や霧等の気象条件や、装置のカバーや窓部の汚れによる減衰を考慮し、余裕を持った値としてある。光線式センサーの性能を発揮させるために、投光ユニットと受光ユニットを、それぞれ対応するユニットに向けて正確に光軸調整する必要がある。受光器に受光レベルを出力する受光量出力部を設け、その出力値をテスターで確認しながら受光ユニットの方向を調整したり、専用の双方向無線通信モジュール内蔵光軸調整ユニットを、投光器と受光器の両方に接続し、光軸調整を行ったりしている。（例えば特許文献１参照）  
【特許文献１】特開２０１０−１６６３４１号公報
【発明の概要】
【発明が解決しようとする課題】
【０００３】
光線式センサーの設置作業者や警報時に駆けつける警備員などのすべてが、テスターや専用の双方向無線通信モジュール内蔵光軸調整ユニットなどの機器を常時所持しているとは限らない。そのため、光軸調整時に精度よく調整がなされず不安定な警戒状態により誤報が多発したり、正しくメンテナンスできなかったりすることがあった。
【課題を解決するための手段】
【０００４】
上記課題を解決するため、本発明は、光線式センサーの受光器に、スマートフォンやタブレット端末などの多機能携帯端末装置と無線通信可能な機能を内蔵もしくは外付け可能とし、特定の多機能携帯端末装置で受光器の受光量出力部の出力値を確認できるようにし、受光器に無線通信モジュールと、無線通信モジュールのペアリング開始用スイッチとを内蔵し、前記ペアリング開始用スイッチを運用時に使用するカバー内に配置する。
【発明の効果】
【０００５】
本発明により、一般的に普及している多機能携帯端末装置で、受光器の受光レベルを確認することができ、テスターや専用機器を常時所持していなくても光軸調整が精度よく行える。
【図面の簡単な説明】
【０００６】
【図１】本発明の１実施形態の構成を示した図である。
【発明を実施するための形態】
【０００７】
以下、添付図面を参照して本発明の好ましい実施例について説明する。図１は本発明の実施形態の構成を示した図である。光線式センサーは、投光ユニット３を内蔵した投光器１と受光ユニット４を内蔵した受光器２で構成され、投光ユニット３から受光ユニット４へ、光を発し警戒区間を構成している。
【０００８】
受光器２にブルートゥース（登録商標）モジュール５とブルートゥースモジュール５のペアリング開始用スイッチ（図示せず）を内蔵する。受光器２に内蔵のペアリング開始用スイッチを押すことによりブルートゥースモジュール５がペアリング可能な状態となる。
【０００９】
次に多機能携帯端末装置６でブルートゥース機器を探索し、ブルートゥースモジュール５を発見しペアリング処理を行い、多機能携帯端末装置６とブルートゥースモジュール５でデータ通信可能な状態とする。ブルートゥースモジュール５から、受光量出力部からの出力値を送信し、多機能携帯端末装置６で受光量表示部７を表示する。受光量表示部７の値を確認し、光軸調整を行う。
【００１０】
ブルートゥースモジュール５からは受光量だけでなく、検知情報や検知反応速度などの光線式センサーの各種設定を送信し、多機能携帯端末装置６に表示できるようにしてもよい。また、図１ではブルートゥースモジュールを受光器に内蔵したが外付けにできるようにしてもよく、異なる無線通信モジュールとしてもよい。
【００１１】
さらに、ペアリング開始用スイッチを光線式センサー運用時には閉められているカバー内に配置することや、一定時間経過すると自動的にデータ通信を停止したりペアリングを削除したりすることや、カバーを閉めることによりデータ通信を停止したりペアリングを削除したりすることでセキュリティ性が高まる。
【符号の説明】
【００１２】
１・・・投光器
２・・・受光器
３・・・投光ユニット
４・・・受光ユニット
５・・・ブルートゥースモジュール
６・・・多機能携帯端末装置
７・・・受光量表示部
【図１】
2019083562.tif 000003
(57)【要約】【課題】紙の使い捨て便座シートは水洗トイレに流せる様に紙質を水に溶けやすくするために、薄く、軽くなっている。したがって便座シートを便座に敷いた後、衣服を脱いだり、便座に座る時の空気の動きで便座シートがズレてしまう。ズレ対策として便座シートに糊が付いている製品が市販されているし、その他、数多く先行技術が考案されている。しかしながら、いずれの案もコストが掛かり過ぎて製品が高額である。１日に何度も使用する消耗品であるのにもかかわらず、お金が掛かり過ぎる。【解決手段】本発明のピンチを使い便座シートを便座に固定すれば便座シートがズレないので、便座に座る時に地肌が便座に直接触れない。ピンチ自体は安価に製造可能であり、繰り返し使用可能であるし、携帯できる大きさである。そして、ピンチを使えば便座シートも高額な糊つきを買う必要がない。【選択図】図１
2019083952.tif 000002
【特許請求の範囲】
【請求項１】
洋式トイレにおいて、便座の上に敷く紙の便座シートが使用時にズレないように、便座シートと便座を挟み付けて固定するピンチ。
【発明の詳細な説明】
【技術分野】
【０００１】
本発明は、公共のトイレで洋式便器の場合に使用する紙の使い捨て便座シートを固定するピンチに関する。
【背景技術】
【０００２】
駅、学校、会社などの公共のトイレにおいて、洋式便器の場合、便座には不特定多数の人が地肌を付けて座るので衛生的ではない。その対策として紙の便座シートが備え付けられていて、便座の上に敷いて使用し、使用後はトイレットペーパーと同様に流せるようになっている。しかしながら、紙の使い捨て便座シートは水洗トイレに流せる様に紙質を水に溶けやすくするために、薄く、軽くなっている。したがって便座シートを便座に敷いた後、衣服を脱いだり、便座に座る時の空気の動きで便座シートがズレてしまう。ズレ対策として便座シートに糊が付いている製品が市販されているし、その他、数多く先行技術が考案されている。
【先行技術文献】
【特許文献】
【０００３】
【特許文献１】特開2007-160036号広報
【特許文献２】特開2010-269101号広報
【発明の概要】
【発明が解決しようとする課題】
【０００４】
しかしながら、いずれの案もコストが掛かり過ぎて製品が高額である。１日に何度も使用する消耗品であるのにもかかわらず、お金が掛かり過ぎる。したがって女子学生やOLが不自由を感じているのに携帯用の便座シートが全く普及していないのが現状である。
【課題を解決するための手段】
【０００５】
本発明のピンチを使い便座シートを便座に固定すれば便座シートがズレないので、便座に座る時に地肌が便座に直接触れない。
【発明の効果】
【０００６】
本発明のピンチを使用すれば、便座シート自体は高額な糊付きを買う必要はなく販売価格の安価な業務用で良いので、お金のない学生でも購入可能である。ポーチに1日に必要な便座シートを折り畳んで入れ、本発明のピンチも入れて携帯すれば公共のトイレも快適に使用できる。
【図面の簡単な説明】
【０００７】
【図１】本発明に係る便座シート専用のピンチの概略斜視図である。
【図２】本発明に係るピンチ、便座、便座シートを横から見た断面図である。
【図３】本発明に係る便座に便座シートを敷いてピンチを取り付けた状態を示した概略斜視図である。
【発明を実施するための形態】
【０００８】
以下、本発明の実施の形態を図面に基づき詳細に説明する。
図１において、本発明のピンチは雑菌の多い場所で使用するので、容易に洗浄できて錆ないステンレス製である。同時に便座シートと便座を挟み付ける構造であるので、ばね鋼である。
【０００９】
図２において、ピンチ１の上面は便座２と便座シート３をしっかり固定できるように平らになっている。下面は便座２の外側下方がいびつな構造になっているので、その凸面をかわして容易に便座と便器の隙間に差し込み便座を挟めるようにL字型になっている。
【００１０】
図３において、本発明のピンチを便座の右上に取り付けた状態を示している。しかし、取り付ける場所は左上や手前中央でも良い。又、本発明のピンチを３個携帯していれば、便座シートがない場合でもトイレットペーパーで代用して３カ所をピンチで留めることでトイレットペーパーのズレ防止に使用できる。
【符号の説明】
【００１１】
１  ピンチ
２  便座
３  便座シート
【図１】
2019083952.tif 000003
【図２】
2019083952.tif 000004
【図３】
2019083952.tif 000005